【手続補正書】
【提出日】平成17年8月30日(2005.8.30)
【手続補正１】
【補正対象書類名】明細書
【補正対象項目名】請求項１
【補正方法】変更
【補正の内容】
【請求項１】
エラスターゼ活性阻害剤とコラーゲン合成促進剤とを含有することを特徴とする、皮膚外用組成物。
【手続補正２】
【補正対象書類名】明細書
【補正対象項目名】請求項２
【補正方法】変更
【補正の内容】
【請求項２】
エラスターゼ活性阻害剤が、コウキのエッセンス及び／又は大豆蛋白である、請求項１に記載の皮膚外用組成物。
【手続補正３】
【補正対象書類名】明細書
【補正対象項目名】０００３
【補正方法】変更
【補正の内容】
【０００３】
一方、皮膚外用剤に於いて、エラスターゼ活性阻害剤とコラーゲン合成促進剤とを含有させることは全く知られておらず、更に、この様な成分を含む皮膚外用剤が優れた整肌作用を有し、加齢変化に対して有効であることも全く知られていなかった。
【手続補正４】
【補正対象書類名】明細書
【補正対象項目名】０００５
【補正方法】変更
【補正の内容】
【０００５】
【課題を解決するための手段】
本発明者らは、この様な状況に鑑みて、優れた整肌作用を有し、加齢変化に対して有効である、化粧料などの皮膚外用剤を求めて鋭意研究努力を重ねた結果、エラスターゼ活性阻害剤とコラーゲン合成促進剤とを含有する皮膚外用剤にこの様な作用を見出し、発明を完成させるに至った。以下、本発明について、実施の形態を中心に詳細に説明を加える。
【手続補正５】
【補正対象書類名】明細書
【補正対象項目名】０００７
【補正方法】変更
【補正の内容】
【０００７】
（２）本発明の皮膚外用組成物の必須成分であるコラーゲン合成促進剤
本発明の皮膚外用組成物は、コラーゲン合成促進剤を必須成分として含有する。本発明で言うコラーゲン合成促進剤とは、コラーゲン合成を促進する作用を有する物質群を表し、例えば、硫酸化アルギン酸及び生理的に許容されるその塩、バクガのエッセンス、特に好ましくはバクガの根部のエッセンス等が好ましく例示できる。ここで生理的に許容される塩としては、ナトリウムやカリウム等のアルカリ金属塩、カルシウムやマグネシウムなどのアルカリ土類金属塩、アンモニウム塩、有機アミン塩、リジンやアルギニンなどの塩基性アミノ酸塩等が好ましく例示できる。本発明では、これらコラーゲン合成促進剤をただ一種のみ含有させることも可能であるし、二種以上を組み合わせて含有することも可能である。本発明の皮膚外用組成物に於ける、これらコラーゲン合成促進剤の好ましい含有量は、 ０．０１〜１重量％であり、更に好ましくは０．０５〜０．５重量％である。
【手続補正６】
【補正対象書類名】明細書
【補正対象項目名】００１１
【補正方法】変更
【補正の内容】
【００１１】
【表１】
2000109418.tif 000001
【手続補正７】
【補正対象書類名】明細書
【補正対象項目名】００１４
【補正方法】変更
【補正の内容】
【００１４】
＜実施例６＞下記に示す処方に従って、化粧水を作成した。即ち、処方成分を室温で攪拌し、可溶化して化粧水を得た。
１，３−ブタンジオール                                ５    重量部
グリセリン                                            ３    重量部
エタノール                                          １０    重量部
硫酸化アルギン酸ナトリウム                            ０．１重量部
バクガコンのエッセンス                                ０．１重量部
エルヒビン                                            ０．５重量部
コウキ抽出液ＢＧ                                      ０．５重量部
プラセンターエキス                                    ０．１重量部
グリコーゲン                                          ０．１重量部
ローヤルゼリー                                        ０．１重量部
メチルパラベン                                        ０．２重量部
ＰＯＥ（６０）硬化ひまし油                            ０．１重量部
水                                                  ８０．１重量部
【手続補正８】
【補正対象書類名】明細書
【補正対象項目名】００１５
【補正方法】変更
【補正の内容】
【００１５】
＜実施例７＞５０歳以上の女性であって、肌のみずみずしさの消失に悩むパネラー１群１０名、計３０名を集め、上記実施例６の化粧水、実施例６の化粧水の硫酸化アルギン酸ナトリウムとバクガコンのエッセンスとを水に置換した比較例５の化粧水、実施例６の化粧水のエルヒビンとコウキ抽出液ＢＧを水に置換した比較例６について、その整肌作用を評価してもらった。これらの化粧水は１日朝・晩２回、８週間使用してもらい、肌のみずみずしさの回復を、＋＋：著しい回復、＋：明らかな回復、±：僅かな回復、−：回復せずの基準で評価してもらった。結果を出現例数として表３に示す。これより、本発明の化粧料は、加齢変化によってみずみずしさが損なわれた肌を、その整肌作用によって、みずみずしくさせる作用に優れることがわかる。
【手続補正９】
【補正対象書類名】明細書
【補正対象項目名】００１７
【補正方法】変更
【補正の内容】
【００１７】
＜実施例８＞下記に示す処方に従って、クリームを作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。
イ
７０％マルチトース水溶液                              ５    重量部
グリセリン                                            ３    重量部
１，３−ブタンジオール                                ５    重量部
メチルパラベン                                        ０．２重量部
ロ
トリグリセリンジイソステアレート                      ４    重量部
ソルビタンセスキオレート                              ０．５重量部
ハ
軽質イソパラフィン                                  １０    重量部
流動パラフィン                                      １０    重量部
グリセリルトリイソオクタネート                        ５    重量部
ニ
水                                                  ５６．６重量部
硫酸化アルギン酸ナトリウム                            ０．１重量部
バクガコンのエッセンス                                ０．１重量部
エルヒビン                                            ０．１重量部
コウキ抽出液ＢＧ                                      ０．１重量部
プラセンターエキス                                    ０．１重量部
グリコーゲン                                          ０．１重量部
ローヤルゼリー                                        ０．１重量部
【手続補正１０】
【補正対象書類名】明細書
【補正対象項目名】００１９
【補正方法】変更
【補正の内容】
【００１９】
＜実施例１０＞下記に示す処方に従って、本発明の皮膚外用組成物である、抗真菌クリーム（皮膚外用医薬組成物）を作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。このクリームは、整肌作用により、水虫によるビランを著しく改善する作用も有していた。
イ
７０％マルチトース水溶液                              ５    重量部
グリセリン                                            ３    重量部
１，３−ブタンジオール                                ５    重量部
メチルパラベン                                        ０．２重量部
ビフォナゾール                                        １    重量部
ロ
トリグリセリンジイソステアレート                      ４    重量部
ソルビタンセスキオレート                              ０．５重量部
ハ
軽質イソパラフィン                                  １０    重量部
流動パラフィン                                      １０    重量部
グリセリルトリイソオクタネート                        ５    重量部
ニ
水                                                  ５６．６重量部
硫酸化アルギン酸ナトリウム                            ０．１重量部
バクガコンのエッセンス                                ０．１重量部
エルヒビン                                            ０．１重量部
コウキ抽出液ＢＧ                                      ０．１重量部
プラセンターエキス                                    ０．１重量部
グリコーゲン                                          ０．１重量部
ローヤルゼリー                                        ０．１重量部
【手続補正１１】
【補正対象書類名】明細書
【補正対象項目名】００２０
【補正方法】変更
【補正の内容】
【００２０】
＜実施例１１＞下記に示す処方に従って、本発明の皮膚外用組成物である、ステロイドクリーム（皮膚外用医薬組成物）を作成した。即ち、イ、ロ、ハ、ニのそれぞれの成分を７０℃に加熱し、イとロを混合し、良く混練りし、これにハを加えて希釈し、これにニを徐々に加え乳化し、攪拌冷却し、クリームを得た。このクリームは、整肌作用により、特に皮膚の著しいビランを伴うアトピー性皮膚炎に対して、ビランを改善すると共に、ステロイドにより炎症を抑え、アトピー性皮膚炎の諸症状を著しく改善する作用も有していた。イ
７０％マルチトース水溶液                              ５    重量部
グリセリン                                            ３    重量部
１，３−ブタンジオール                                ５    重量部
メチルパラベン                                        ０．２重量部
デキサメタゾン                                        １    重量部
ロ
トリグリセリンジイソステアレート                      ４    重量部
ソルビタンセスキオレート                              ０．５重量部
ハ
軽質イソパラフィン                                  １０    重量部
流動パラフィン                                      １０    重量部
グリセリルトリイソオクタネート                        ５    重量部
ニ
水                                                  ５６．６重量部
硫酸化アルギン酸ナトリウム                            ０．１重量部
バクガコンのエッセンス                                ０．１重量部
エルヒビン                                            ０．１重量部
コウキ抽出液ＢＧ                                      ０．１重量部
プラセンターエキス                                    ０．１重量部
グリコーゲン                                          ０．１重量部
ローヤルゼリー                                        ０．１重量部